(57)【特許請求の範囲】
【請求項１】
日付記載部と、大会名及び球場名記載部と、自チーム名記載部と、相手チーム名記載部と、監督及びコーチをはじめとするスタッフ名を記入する自チームスタッフ名記載部と、先発メンバー記載部と、控え選手記載部とが印刷された１枚の野球試合用メンバー表を少なくとも３枚重ねて３枚複写可能なノーカーボン用紙印刷とした野球試合用メンバー表において、
上記先発メンバー記載部を少なくとも４列に区分し、左から順に打順記載部、守備位置記載部、選手名記載部、背番号記載部とし、
一番下の用紙を審判用控えと成して、この審判用控えの先発メンバー記載部を、上２枚の用紙と異ならせ、前記守備位置記載部を複数列に形成して、一番右の列を上２枚の用紙と同じ位置に印刷し、それ以外の左側の列は減感印刷とし、
更に、この審判用控えには、タイム回数記録部を設け、このタイム回数記録部を守備時と攻撃時の２つに区分し、それぞれの守備時と攻撃時の回数記入部を両チーム別に設け、このタイム回数記録部も減感印刷としたことを特徴とする野球試合用メンバー表。
【請求項２】
審判用控え以外の上２枚の用紙において、
自チーム名記載部と相手チーム名記載部と自チームスタッフ名記載部を一覧表として１ブロックとし、また、大会名記載部及び球場名記載部を一覧表として１つのブロックとし、且つ、先発メンバー記載部及び控え選手記載部をそれぞれ一覧表として１ブロックに印刷して、合計４つのブロックに印刷し、
前記大会名及び球場名を記載するブロックの位置に、前記タイム回数記録部を審判用控えの用紙に印刷したことを特徴とする請求項１に記載の野球試合用メンバー表。
【請求項３】
試合の開始時間と終了時間を記載する試合時間記載部を更に設けたことを特徴とする請求項１又は２に記載の野球試合用メンバー表。
【請求項４】
審判用控え以外の用紙を３枚又は４枚としたことを特徴とする請求項１乃至３の何れか１項に記載の野球試合用メンバー表。
【請求項５】
上記３枚乃至５枚複写のメンバー表を１組とし、この一組のメンバー表の多数組を綴じて１冊の冊子に形成し、１組毎に分離して使用することができるようにしたことを特徴とする請求項１乃至４の何れか１項に記載の野球試合用メンバー表。
【発明の詳細な説明】
【技術分野】
【０００１】
本発明は、野球の試合用のメンバー表の改良に関するものである。
【背景技術】
【０００２】
図３に現在使用されている野球試合用メンバー表を図示している。
このメンバー表は、３枚複写であって、ノーカーボン用紙（感圧紙）に同一の印刷がそれぞれ施されたものである。
【０００３】
ここで、ノーカーボン用紙というのは、既に知られているように、ボールペン等の筆記用具で一番上の用紙に文字等を記入すると、同じ文字等が同時に下の用紙にも複写されるものである。
そして、ノーカーボン用紙は、基本的に「上用紙」「中用紙」「下用紙」という紙の種類があり、この紙の組合せで複写を可能とするものである。
【０００４】
つまり、２枚複写のものであれば、「上用紙」と「下用紙」との組合せ、３枚複写であれば、「上用紙」、「中用紙」と「下用紙」との組合せ、そして、４枚複写以上であれば、その中間の「中用紙」を順次増やして行けばよいのである。
【０００５】
図３に示したメンバー表も、３枚複写でなく、４枚又は５枚複写とすることもできる。
３枚複写の場合には、記入後この同じメンバー表の内、その１枚が相手チームに、他の１枚が審判に、そして残りの１枚が自チームの控えとなるものである。
４枚複写の場合には、他の１枚は、大会本部へ、５枚複写の場合には、更に他の１枚は、放送席へというように必要部署に適宜同じ内容のものが配布されることとなるのである。
【０００６】
例えば３枚複写のものであれば、その使用法は、各チームがメンバー表に記入を行い、その１枚は、自チームのものとして保管し、他の２枚を審判員に手渡すのである。
審判員は、手渡された２枚のメンバー表の内容が一致していることを確認して、その１枚を他のチームに手渡し、メンバー表の交換が行われ、その後試合が開始されるのである。
【０００７】
さて、このメンバー表の内容は、以下のとおりである。
このメンバー表は、大きく３つのブロックに区分されて印刷されている。
その一番上の上ブロック５０には、その上欄に日付記載部と大会名記載部が設けられた日付・大会名記載欄５１が設けられ、その下欄には、自チーム名記載欄５２と相手チーム名記載欄５３とが設けられている。
【０００８】
上記上ブロック５０の下には、中ブロック６０が設けられている。
この中ブロック６０は、４つの部分に４列に区分され、左側から打順欄６１、守備位置記載欄６２、選手名記載欄６３、背番号記載欄６５が設けられ、記載可能欄は９行分と予備欄１行分設けられている。
【０００９】
上記中ブロック６０の下には、下ブロック７０が更に設けられており、この下ブロック７０には、控え選手記載欄７１が設けられ、この控え選手記載欄７１は、控え選手名記載欄７２と背番号記載欄７３とがそれぞれ２列に合計４列設けられている。
【００１０】
上記控え選手記載欄７１の下には、自チームスタッフ名記載欄７４が設けられ、この自チームスタッフ名記載欄７４には、左から順次、監督名記載欄７５、主将名記載欄７６、スコアラー名記載欄７７が設けられている。
【００１１】
上記自チームスタッフ名記載欄７４の下には、球場名記載欄７８及び試合開始時間及び終了時間を記入する試合時間記載欄７９が設けられている。
このような記載欄が設けられた従来のメンバー表は、この同一の記載欄が印刷されたノーカーボン用紙の３枚乃至５枚複写のものであった。
【００１２】
ここで、上記従来例においては、「〜記載欄」と記述しているが、この「記載欄」という語は、四角枠で囲まれているためにこの語を使用したのであるが、この記載欄は必ずしも四角の枠で囲まれた欄形式のものでなくてもよく、単なるアンダーラインやカッコ等々で記入すべき空欄が設けられたものであればよいのである。
従って、以下の説明では、この「記載欄」という語の上位概念として「記載部」という語を用いるものである。
【発明の概要】
【発明が解決しようとする課題】
【００１３】
従来からある上記野球試合用のメンバー表においては、審判員が試合をしている最中に、例えば、先発メンバーにおいて守備位置が変更されても、それを簡単に記録し、変更記載することが出来ないという難点があり、或いは、通常、１試合中にタイムをすることができる回数が、攻撃時又は守備時に所定回数に、通常３回と規定されており、このタイムの回数を記入して、記憶に留めるための手段も講じられていないという難点も存在していた。
【００１４】
そこで、本願発明においては、このような難点を解消すべく、審判員が容易に先発メンバーの守備位置変更を記録できるようにすること、更には、試合中のタイムの回数を記録できる手段を講じることをその課題とするものである。
その他、野球試合用のメンバー表として必要な改良を施すことをその課題とするものである。
【課題を解決するための手段】
【００１５】
上記の課題を解決するために、本発明の第１のものは、日付記載部と、大会名及び球場名記載部と、自チーム名記載部と、相手チーム名記載部と、監督及びコーチをはじめとするスタッフ名を記入する自チームスタッフ名記載部と、先発メンバー記載部と、控え選手記載部とが印刷された１枚の野球試合用メンバー表を少なくとも３枚重ねて３枚複写可能なノーカーボン用紙印刷とした野球試合用メンバー表において、上記先発メンバー記載部を少なくとも４列に区分し、左から順に打順記載部、守備位置記載部、選手名記載部、背番号記載部とし、一番下の用紙を審判用控えと成して、この審判用控えの先発メンバー記載部を、上２枚の用紙と異ならせ、前記守備位置記載部を複数列に形成して、一番右の列を上２枚の用紙と同じ位置に印刷し、それ以外の左側の列は減感印刷とし、更に、この審判用控えには、タイム回数記録部を設け、このタイム回数記録部を守備時と攻撃時の２つに区分し、それぞれの守備時と攻撃時の回数記入部を両チーム別に設け、このタイム回数記録部も減感印刷としたことを特徴とする野球試合用メンバー表である。
ここで、上記「減感印刷」というのは、複写印刷物を形成する際に、任意のページの特定の箇所に対し、ノーカーボン用紙の複写効果を無効とするような（複写されないようにする）効果を持たせる印刷をいう。
【００１６】
本発明の第２のものは、上記第１の発明において、審判用控え以外の上２枚の用紙において、自チーム名記載部と相手チーム名記載部と自チームスタッフ名記載部を一覧表として１ブロックとし、また、大会名記載部及び球場名記載部を一覧表として１つのブロックとし、且つ、先発メンバー記載部及び控え選手記載部をそれぞれ一覧表として１ブロックに印刷して、合計４つのブロックに印刷し、前記大会名及び球場名を記載するブロックの位置に、前記タイム回数記録部を審判用控えの用紙に印刷したことを特徴とする野球試合用メンバー表である。
【００１７】
本発明の第３のものは、上記第１又は第２の発明において、試合の開始時間と終了時間の記載部を更に設けたことを特徴とする野球試合用メンバー表である。
【００１８】
本発明の第４のものは、上記第１乃至第３の発明何れかの発明において、審判用控え以外の用紙を３枚又は４枚としたことを特徴とする野球試合用メンバー表である。
【００１９】
本発明の第５のものは、上記何れかの発明において、上記３枚乃至５枚複写のメンバー表を１組とし、この一組のメンバー表の多数組を綴じて１冊の冊子に形成し、１組毎に分離して使用することができるようにしたことを特徴とする野球試合用メンバー表である。
【発明の効果】
【００２０】
本発明に係る第１のものにおいては、審判用控えにその特徴があり、即ち、４列に区分した先発メンバー記載部の左から２番目の守備位置記載部を複数列に設けているために、先発時の守備位置から試合中に守備位置を変更した際に、その変更後の守備位置をその左隣の列に記入することができることとなる。
【００２１】
例えば、先発時投手であった選手は、その守備位置は、最初に「１」と記入されるが、試合途中でライトに変われば、その左隣りの列の欄に「９」と記入してその変更を記録できるのである。
更に、試合途中でライトから投手に変更されれば、更に左隣りの列に「１」と記載することができることとなるのである。
【００２２】
このように、審判の手元にあるメンバー表中に、先発メンバーの守備位置変更を記録することができることとなるのである。
更に、この審判用控えの守備位置記載部の一番右の列以外の左側の複数列の箇所は、減感印刷とされ、上に重なるメンバー表で、この箇所に筆記具で何か文字等を記載してもこの審判用控えの用紙には、複写されないこととなるのである。
【００２３】
更に、本発明においては、この審判用控えに、タイム回数記録部を設けているために、両チームの攻撃時及び守備時におけるタイムをした回数を例えばチェック等の印を付加して、その個数により確認することができ、極めて便利なものとなる。
このタイム回数記録部も、上記同様に減感印刷とされており、審判控え用紙の上の用紙に筆記具で何かを記載しても、この審判用控えの用紙には複写されない構成となっている。
【００２４】
本発明の第２のものにおいては、上記第１の発明において、審判用控えの用紙の上記タイム回数記録部の印刷位置を特定したものである。
即ち、このタイム回数記録部を、審判用控えの用紙において、その上の用紙の大会名及び球場名を記載する記載部の位置と同じ位置に設けたものである。
これは、各用紙において、印刷する全体の範囲を同様のものとしたものでもある。
【００２５】
当然、このような位置関係にせずに、このタイム回数記録部をその上の用紙の印刷範囲外に印刷して、審判用控えの用紙にも大会名及び球場名を記載する記載部を設けておいても全く問題はない。
審判用控えの場合には、この大会名や球場名は特に記載しなくとも問題はなく、即ち、この大会の主催者等が保管するため、その大会名や球場名は自明なものだからであり、他方、試合を行った対戦チームの側は、この欄は必要なものとなるからである。
【００２６】
本発明の第３のものにおいては、試合の開始時間と終了時間を記載する試合時間記載部を更に設けたことを特徴とするものであり、メンバー表にこれらの情報を更に盛り込み、試合情報をより豊富にしたものである。
【００２７】
本発明の第４のものにおいては、審判用控え以外の用紙を３枚又は４枚としたことを特徴とするものであり、これによりメンバー表を審判員及び相手チーム以外に、大会本部や放送席にも配布できるようにしたものである。
【００２８】
本発明の第５のものにおいては、上記３枚乃至５枚複写のメンバー表を１組とし、この一組のメンバー表の多数組を綴じて１冊の冊子に形成し、１組毎に分離して使用することができるようにしたものであり、上記メンバー表を一冊の冊子として、１組ずつ冊子から引き千切って何度も使用することができるようにしたものである。
これにより、メンバー表の取り扱いの向上を図り、複数回の使用が可能となるのである。
【図面の簡単な説明】
【００２９】
【図１】本発明の野球試合用メンバー表に係る一実施形態を示す全体図である。
【図２】本発明の一実施形態に係るメンバー表の一番下に配置される審判用控えを示す全体図である。
【図３】従来より使用されている野球試合用メンバー表を示す全体図である。
【発明を実施するための形態】
【００３０】
以下、添付の図面と共に本発明の実施形態について説明する。
図１は、本発明の野球試合用メンバー表（以下単に「メンバー表」という。）に係る一実施形態を示す全体図である。
ここに図示したメンバー表Ｍは、一番下に位置する審判用控えの用紙以外の用紙を示しており、後に説明する図２に図示する審判用控えとはその印刷の配列及び内容を多少異にしている。
【００３１】
本発明に係るメンバー表は、大きく４つのブロックに区分している。勿論、各ブロックに余白を設けずに、一体（一覧表）のものとして１つのブロックのものとして印刷することも可能である。
一番上の第１ブロック１０には、上から自チーム名記載欄５２と相手チーム名記載欄５３が設けられ、その下に自チームスタッフ名記載欄７４が２列に、４行に渡り設けられている。
【００３２】
尚、ここで上記した通り、「〜記載欄」として各記載部を特定しているが、これは各記載部を四角の枠で囲っているからであり、当然、この発明では、このような欄として各記載部を特定するばかりでなく、アンダーラインやカッコ等で、記入部を空白として記載部を特定することができる。
従って、この「記載欄」というのは、「記載部」の一例となるものである。以下同じである。
【００３３】
この自チームスタッフ名記載欄７４には、代表者名、監督名、コーチ名、スコアラー名、及び介護員名のそれぞれ記載欄が設けられている。
また、自チーム名記載欄５２及び相手チーム名記載欄５３のそれぞれには、先攻及び後攻を示す「先・後」の文字が表示され、この何れかにマル印を付することにより、先攻であるか、後攻であるかを表示することができる。
これは従来にない構成である。
【００３４】
この第１ブロック１０の右上には、日付記載部１５である「  年  月  日」の印刷があり、このように、日付記載部１５は、四角枠を印刷せずに設けることもできる。
勿論、他の記載欄も四角枠で囲む必要は必ずしもなく、単なるアンダーライン、カッコ等でその欄を特定して設けることも可能であることは、既に記載した。
【００３５】
上記第１ブロック１０の下に第２ブロック２０を設ける。
この第２ブロック２０には、左側の大会名記載欄２１と右側の球場名記載欄２２とから成る。
この部分も、四角の枠で囲った欄として印刷しているが、四角の枠は無くても良い。
また、後に説明するが、この第２ブロック２０の位置に、審判用控え用紙にはタイム回数記録部が設けられるのである。
【００３６】
上記第２ブロック２０の下に、第３ブロック３０を設ける。
この第３ブロック３０が、先発メンバー記載欄３０となる。
この先発メンバー記載欄３０は、４列に区分され、左から順に打順記載欄６１、守備位置記載欄６２、選手名記載欄６３、選手名ふりがな記載欄６４、背番号記載欄６５が設けられ、これらが上下に９行、そして予備欄として２行設けられている。
【００３７】
上記選手名ふりがな記載欄６４は任意のもので、これを設けずに実施することもできる。
後に説明するが、一番下の審判用控えの用紙には、上記守備位置記載欄が複数、この実施形態では４列設けられているのである。
しかし、審判用控えの用紙以外の用紙には、図１に示した通り守備位置記載欄６２は１列のみの印刷である。
【００３８】
上記第３ブロック（先発メンバー記載欄）３０の下には第４ブロック４０が設けられている。
この第４ブロック４０は、控え選手記載欄４０となる。
この控え選手記載欄４０は、左側の背番号記載欄７３とその右の控え選手名記載欄７２の１組が３列設けられている。
【００３９】
従って、この第４ブロック４０は、全てで６列４行の記載欄が設けられているものである。
勿論、このブロック４０においても、四角の枠線を設けなくともよく、要は、控え選手の背番号と名前が記入できればよいものである。
尚、上記選手名記載欄７２と背番号記載欄７３は、左右反対に設けることも自由である。
【００４０】
上記図１に示したメンバー表Ｍを少なくとも２枚重ねにし、その下に審判用控えの用紙が重ね合わされるのである。
この審判用控え用紙を図２が示している。
図２は、本発明の上記実施形態に係るメンバー表の一番下に配置される審判用控えを示す全体図である。
【００４１】
この審判用控えＳは、その上に配置されるメンバー表と基本的には同様の印刷であるが、その同一部分についての説明は、省略する。
即ち、日付記載部１５、第１ブロック１０、及び控え選手記載欄（第４ブロック）４０は、上記図１に示したメンバー表と同一である。
【００４２】
他方、異なる部分は、図１に示した第２ブロック２０（大会名記載欄２１と球場記載欄２２）の欄と同じ位置に印刷されるタイム回数記録欄２６と、先発メンバー記載欄（第３ブロック）３０の守備位置記載欄６２の部分である。
【００４３】
先ず、タイム回数記録欄２６は、横長の四角の枠に囲まれ、その左端部に「Time-Count」という英文字の印刷が成され、その右側には守備欄２７が、その右側には攻撃欄２８が設けられている。
守備欄２７及び攻撃欄２８のそれぞれは２つの部分に区分され、３つずつのチェック欄２９がそれぞれ設けられている。
【００４４】
守備欄２７及び攻撃欄２８のそれぞれが２つの部分に区分されているのは、一方が自チーム、他方が相手チームの記録欄となっている。
このメンバー表では、左側に自チーム名が記載され、右側に相手チーム名が記載されているため、この記載に合わせて、それぞれのチームの守備の時のタイムの回数をチェックの数によって記録でき、右側では、それぞれのチームの攻撃の時のタイムの回数をチェックの記入の数によって記録できることとなるのである。
【００４５】
通常、１つの試合では、攻撃時又は守備時でタイムの回数が３回と決められていることから、本発明では、３つずつのチェック欄を設けたのである。
ここで、タイム回数記録部の記録は、上記のようにチェック欄にチェックを記入することによるばかりでなく、「１・２・３」と番号を印刷しておき、順番にマル印を付加して行くことにより記録することもでき、或いは、空欄のままとしておき、「正」の文字を１画ずつ記載して行くことによって記録することもできるものである。「正」の文字で記録する場合には３回に限られず、その回数を記録できることとなる。
【００４６】
本実施形態では、このタイム回数記録欄２６を図１のメンバー表の第２ブロック２０の位置に配置したが、このタイム回数記録欄２６は、例えば、第４ブロック４０の下に設けても良いものである。
つまり、その位置は自由に選択して設けることができるのである。
その際に、このタイム回数記録欄２６の部分は、減感印刷とすることが重要である。
その上の用紙からの複写を無効とすることができるからである。
【００４７】
次に、図１のメンバー表Ｍと異なる部分は、第３ブロック（先発メンバー記載欄）３０の守備位置記載欄６２である。
この審判用控えのメンバー表Ｓでは、この先発メンバー記載欄３０の守備位置記載欄６２が複数設けられている。
即ち、この実施形態では、４列設けられ、４回記載することが出来るのである。
【００４８】
この守備位置記載欄６２の一番右側は、図１に記載のメンバー表Ｍの守備位置記載欄６２と同一位置に印刷されている。
即ち、メンバー表を重ねた状態で記入する際に、最初に記載した守備位置６２が、審判用控えのメンバー表の守備位置記載欄６２の一番右側に複写されることとなるのである。
【００４９】
その後、試合が開始され、守備位置が変更されると、審判は、変更された守備位置をその左隣の守備位置記載欄６２に守備位置の番号を記入することができることとなる。
このようにして、この実施形態では３回の守備位置の変更を審判員が記入し記録することができることとなるのである。
【００５０】
更に、この審判用控えのメンバー表Ｓの守備位置記載欄６２の左の３列は、減感印刷が成され、その上のメンバー表Ｍへの記載が複写されないように構成しているのである。
これにより、メンバー表Ｍの記載にあたり、審判用控えのメンバー表Ｓの守備位置記載欄６２の左側の３列には何らの複写も行われず、未記入のままの状態に維持されることとなるのである。
【００５１】
以上、本発明の実施形態について説明したが、本発明においては以下の通り種々その形態を変更することが可能である。
まず、図１に示した審判用控え以外のメンバー表Ｍは、これを２枚乃至４枚複写として実施することができ、少なくともこれらは２枚あれば、使用することができる。
つまり、全体で少なくとも３枚複写であればよい。
【００５２】
というのも、最低、本発明に係るメンバー表は、対戦チームの両チーム分と、審判員の分との３枚あればよいからである。
その他、大会本部や放送席等に必要であれば、審判用控え以外のメンバー表Ｍを適宜必要枚数増やせばよいのである。
【００５３】
各記載部は、四角い枠により囲んで印刷する必要もなく、アンダーラインやカッコ等々記載できる空白を確保できる態様のものであればよいものであるが、記入の便宜を考慮すれば欄形式が望ましい。
上記実施形態では、表を４つのブロックに分割して設けたが、各ブロックは、これを全体で１つの一覧表として印刷することもできる。
勿論、上記実施形態のように４つのブロックに分割し、それぞれのブロックに余白を設けるのも自由である。
【００５４】
更に、これらのブロックの配列も上記第１乃至第４ブロックの順番を異ならせて、その配置を入れ替えて印刷することも可能である。
自チームスタッフ名記載部内の代表者名、監督名、コーチ名、等々の配列も自由に行うことができる。
上記実施形態において、試合開始時間及び終了時間を記入する試合時間記載部を適宜位置に付加することも自由である。
メンバー表自体の縦横の用紙サイズも全く自由に設定することが出来る。
【００５５】
以上、本発明は、審判用控えを改良して、規定されたタイムの回数を記録でき、且つ、先発メンバーの守備位置変更をも簡単に記録できる野球試合用メンバー表を提供することができたものである。
【符号の説明】
【００５６】
１０  第１ブロック
１５  日付記載部
２０  第２ブロック
２１  大会名記載欄
２２  球場名記載欄
２６  タイム回数記録欄
２７  守備欄
２８  攻撃欄
２９  チェック欄
３０  第３ブロック（先発メンバー記載欄）
４０  第４ブロック
５２  自チーム名記載欄
５３  相手チーム名記載欄
６１  打順記載欄
６２  守備位置記載欄
６３  選手名記載欄
６５  背番号記載欄
７２  選手名記載欄
７３  背番号記載欄
７４  自チームスタッフ名記載欄
Ｍ  メンバー表
Ｓ  メンバー表（審判用控え）
【図１】
0006355522.tif 000002
【図２】
0006355522.tif 000003
【図３】
0006355522.tif 000004